(57)【要約】【課題】  情報の送り手と受け手間で双方向通信を行うことにより、受けて側から指定した要求に即した情報を提供することで、迅速かつ多種類にわたる多くの情報を提供することを可能とさせると共に、記録撮影時の付加情報として入手した情報をミックスして記録させるものである。【解決手段】  第１の発明は公共施設の情報提供システムをBLUETOOTH（登録商標）通信とすることで情報の送り手側と受け手側を双方向通信にすると共にBLUETOOTH（登録商標）通信の通信範囲の違いを使い狭い通信範囲の通信装置１に対し１情報提供装置、広い通信範囲の通信装置には共通情報提供装置と使い分けることにより、情報入手端末より必要な情報を選択して入手ができ情報入手端末の位置情報を調べることなく情報端末近辺の局地情報を入手することを特徴とするものである。【選択図】  図１
2006246018.tif 000002
【特許請求の範囲】
【請求項１】
情報伝達手段として無線通信を使うことにより相互通信を可能とし、無線通信は通信可能範囲の違う２種持通信装置を用い、局地情報は通信範囲の狭い無線通信装置を使用し、全体情報は通信範囲の広い無線通信装置を使うとともに、通信範囲の狭い無線通信装置には各通信装置に１対１で情報提供装置を接続し、通信範囲の広い無線通信装置には共通した情報提供装置と接続させ、無線通信機能を持つ端末を使って通信範囲の狭い無線通信装置と通信範囲の広い無線通信装置との接続を選択することで局地情報と全体情報を選別して入手できる無線通信システム。
【請求項２】
上記通信装置において無線通信機能を持つ端末を無線通信機能付ビデオカメラとすることで入手した音声及び映像情報を記録することを特徴とするビデオカメラによる無線通信システム。
【請求項３】
上記無線通信機能付ビデオカメラにおいて、無線通信で入手した音声及び映像情報を、音声のみ、映像のみ、音声及び映像、と選択して記録することを特徴とするビデオカメラによる無線通信システム。
【請求項４】
上記無線通信機能付ビデオカメラにおいて、無線通信で入手した音声及び映像情報をビデオカメラ部にて撮影している音声及び映像とミックスして記録することを特徴とするビデオカメラによる無線通信システム。
【請求項５】
上記無線通信機能付ビデオカメラにおいて、記録開始させるトリガーとタイミングを合わせ無線通信で入手した音声及び映像情報の先頭より記録を開始することを特徴とするビデオカメラによる無線通信システム。
【請求項６】
上記無線通信をBLUETOOTH（登録商標）とする無線通信システム及びビデオカメラによる無線通信システム。
【発明の詳細な説明】
【技術分野】
【０００１】
本発明は、無線通信を使ってのデーター送受信を行う無線通信システムに関するものである。
【背景技術】
【０００２】
背景技術をその機構図を基に説明する。図６は背景技術の公共施設における情報通信設備についてその特徴をもっともよく表す図面であり、１０は展覧会場、１１−１〜１１−３は無線放送装置、１２−１〜１２−３は無線放通信可能範囲、１３−１〜１３−３は展示物、１４は無線放送受信機能付ヘッドホンである。
【０００３】
放送設備１１−１は展示物１３−１の近傍にあり展示物１３−１の説明放送を行い無線放通信可能範囲１２−１を持つ。放送設備１１−２は展示物１３−２の近傍にあり展示物１３−２の説明放送を行い無線放通信可能範囲１２−２を持つ。放送設備１１−３は展示物１３−３の近傍にあり展示物１３−３の説明放送を行い無線放通信可能範囲１２−３を持つ、
無線放送受信機能付ヘッドホン１４を付けた閲覧者が無線放通信可能範囲１２−２に入ると、展示物１３−２について説明放送を受信し聞くことが可能となる。無線放送受信機能付ヘッドホン１４を付けた閲覧者が移動し無線放通信可能範囲１２−１に移った場合は受信できる説明放送は展示物１３−１についてのものに変わり、目前にある展示物の説明を聞くことが可能となる。また、無線放送受信機能付ヘッドホン１４を付けた閲覧者が無線放通信可能範囲１２−３に移った場合は受信できる説明放送は展示物１３−３についてのものに変わる。
【０００４】
又、従来例としては、例えば特許文献１と特許文献２をあげることができる。
【特許文献１】特開2003-51772号公報
【特許文献２】特開2003-324649号公報
【発明の開示】
【発明が解決しようとする課題】
【０００５】
上記従来例では、情報伝達が送り手側からの１方向だけであり、必要とする情報を瞬時に選択し入手することが不可能であると共に、多くの情報を提供するようにすると必要な情報にたどり着くまで長時間放送を聞く必要があり、聴取時間とのかねあいで提供情報量に制限があった。また、入手した情報は知識として受け取る以外に活用することができなかった。
【０００６】
本出願の発明の目的は、情報の送り手と受け手間で双方向通信を行うことにより、受けて側から指定した要求に即した情報を提供することで、迅速かつ多種類にわたる多くの情報を提供することを可能とさせると共に、記録撮影時の付加情報として入手した情報をミックスして記録させるものである。
【課題を解決するための手段】
【０００７】
上記目的を達成するために、本出願に係わる第１の発明は、情報伝達手段として無線通信を使うことにより情報の送り手側と受け手側を双方向通信すると共に無線通信の通信範囲の違いを使い狭い通信範囲の通信装置１に対し１情報提供装置、広い通信範囲の通信装置には共通情報提供装置と使い分けることにより、情報入手端末より必要な情報を選択して入手ができ、情報入手端末の位置情報を調べることなく情報端末近辺の局地情報を入手することを特徴とするものである。
【０００８】
第２の発明は、ビデオカメラに無線通信機能を付加することにより入手した情報を記録させることを特徴とするものである。
【０００９】
第３の発明は、ビデオカメラに無線通信機能を付加することにより入手した情報を記録することにおいて音声情報と映像情報を選択して記録させることを特徴とするものである。
【００１０】
第４の発明は、ビデオカメラに無線通信機能を付加することにより入手した情報を撮影情報とミックスして記録させることを特徴とするものである。
【００１１】
第５の発明は、ビデオカメラに無線通信機能を付加することにより入手した情報を記録させることにおいて記録開始時に情報の先頭がタイミングを合わせて記録できるようにすることを特徴とするものである。
【発明の効果】
【００１２】
以上説明したように、本出願に係る第１の発明によれば、情報伝達手段として無線通信を使うことで無線通信端末より必要とする情報を選択して迅速に入手することを可能とすると共に、通信距離の異なる２種類の無線通信装置に接続する情報通信装置を違え通信範囲の狭い無線通信装置には各々独立した情報提供装置、通信範囲の広い無線通信装置には共通情報を持つ情報提供装置とすることで無線通信端末の位置情報を調べることなく位置に起因する情報を提供することを可能とする。
【００１３】
本出願に係る第２の発明によれば、入手した情報を画像及び音として記録することを可能とする。
【００１４】
本出願に係る第３の発明によれば、入手した情報を画像及び音を選択して記録することを可能とする。
【００１５】
本出願に係る第４の発明によれば、入手した情報を撮影した画像及び音とミックスして記録することを可能とする。
【００１６】
本出願に係る第５の発明によれば、入手した情報を撮影した画像及び音とミックスして記録することにおいて入手した情報の先頭と記録開始のタイミングが合うように自動調整することを可能とする。
【発明を実施するための最良の形態】
【００１７】
（第一の実施例）
図１は第１及び第２の発明の特徴をもっともよく表す図面で、同図において１は第１及び第２の発明のシステムを装備した動物園、２−１〜２−２は通信範囲の広いBLUETOOTH（登録商標）通信装置と全体情報情報提供装置、３−１〜３−２は通信範囲の広いBLUETOOTH（登録商標）の通信可能範囲、４−１〜４−４は通信範囲の狭いBLUETOOTH（登録商標）通信装置と局地情報情報提供装置、５−１〜５−４は通信範囲の狭いBLUETOOTH（登録商標）の通信可能範囲、６−１〜６−４は動物園で飼われている動物、７はBLUETOOTH（登録商標）通信機能を持ったビデオカメラ、８は食堂、９はトイレである。
【００１８】
図２は第１及び第２の発明のBLUETOOTH（登録商標）通信機能を持ったビデオカメラ７の構成図で、７−１はカメラ部、７−２はマイク、７−３はビデオカメラコントロール回路、７−４は記録用ヘッド、７−５はビデオテープ、７−６はBLUETOOTH（登録商標）通信回路、７−７は画像表示用ＬＣＤ、７−８はスピーカー、７−９はカメラ部７−１及びマイク７−２以外の入力信号を記録させるレックボタン、７−９はカメラ部７−１及びマイク７−２の映像及び音声を記録開始させるトリガーボタン、７−１１は表示スクロールボタン、７−１２は表示確定ボタンである。
【００１９】
図３は第１及び第２の発明のフロー図で、同図においてＳ１は通信可能BLUETOOTH（登録商標）通信装置と情報提供装置をビデオカメラ７に表示させる。Ｓ２はビデオカメラ７と通信する情報提供装置の選択、Ｓ３は全体情報情報提供装置のメニュー、Ｓ４は全体情報情報提供装置のメニューの選択、Ｓ５は開園時間の表示、Ｓ６はＳ１へ戻す、Ｓ７は食堂のメニュー表示、Ｓ８はＳ１へ戻す、Ｓ９は局地情報情報提供装置のメニュー、Ｓ１０は局地情報情報通信装置のメニューの選択、Ｓ１は１動物の解説、Ｓ１２はＳ１へ戻す、Ｓ１３は食堂の場所の案内、Ｓ１４はＳ１へ戻す、Ｓ１５はトイレの場所の案内、Ｓ１６はＳ１へ戻すである。
【００２０】
第１及び第２の発明は、BLUETOOTH（登録商標）通信機能を持った動物園１内において、BLUETOOTH（登録商標）通信機能を持ったビデオカメラ７を操作することにより園内情報を入手すると共にビデオカメラ７に記録するシステムである。
【００２１】
ビデオカメラ７は、ビデオカメラコントロール回路７−３にカメラ部７−１及びマイク６−２とBLUETOOTH（登録商標）通信回路７−６からの音声及び画像信号を入力し、ビデオカメラコントロール回路７−３よりＬＣＤ７−７に対して画像出力、スピーカー７−８に対して音声出力を行うと共にビデオテープ７−５に記録を行う。ビデオカメラ７の動作は、レックボタン７−９、トリガーボタン７−１０、スクロールボタン７−１１、確定ボタン７−１２にてコントロールする。
【００２２】
通信範囲の広いBLUETOOTH（登録商標）通信装置と全体情報情報提供装置２−１〜２−２は同一情報を送信できるよう結合され、園内全域でBLUETOOTH（登録商標）通信ができるよう通信範囲の広いBLUETOOTH（登録商標）の通信可能範囲３−１〜３−２の通信可能範囲を持っている。
【００２３】
通信範囲の狭いBLUETOOTH（登録商標）通信装置と局地情報情報提供装置４−１〜４−４の通信範囲は、通信範囲の狭いBLUETOOTH（登録商標）の通信可能範囲５−１〜５−４と狭く各々独立した情報を持ち送信できるようになっている。
【００２４】
ビデオカメラ７は、通信範囲の広いBLUETOOTH（登録商標）の通信可能範囲３−２と通信範囲の狭いBLUETOOTH（登録商標）の通信可能範囲５−１の範囲に入っており、通信範囲の広いBLUETOOTH（登録商標）通信装置と全体情報情報提供装置２−２と通信範囲の狭いBLUETOOTH（登録商標）通信装置と局地情報情報提供装置４−１と通信可能であり、ビデオカメラ７のＬＣＤ７−７にはＳ１にて接続可能情報通信装置が表示される。Ｓ２情報提供装置の選択にてビデオカメラ７のスクロールボタン７−１１と確定ボタン７−１２を操作することにより通信する情報通信装置の選択を行いビデオカメラ７のＬＣＤ７−７には各情報通信装置の情報メニューが表示される。
【００２５】
Ｓ２情報提供装置の選択にてビデオカメラ７のスクロールボタン７−１１と確定ボタン７−１２を操作することにより、園内全域案内（全体情報情報提供装置）が選択された時は、通信範囲の広いBLUETOOTH（登録商標）通信装置と全体情報情報提供装置２−２と接続され園内全体の情報となるＳ３メニューがビデオカメラ７のＬＣＤ７−７に表示される。Ｓ４全体情報提供装置のメニューの選択にてビデオカメラ７のスクロールボタン７−１１と確定ボタン７−１２を操作することにより、メニュー選択をすることにてＳ５開園時間表示又はＳ７食堂メニュー表示をビデオカメラ７のＬＣＤ７−７への画像表示とスピーカー７−８への音声出力を行う。表示終了後ビデオカメラ７のスクロールボタン７−１１と確定ボタン７−１２を操作することにより、Ｓ６、Ｓ８の戻るを選択するとＳ１に戻り再度初めから進めることができる。
【００２６】
Ｓ２情報提供装置の選択にてビデオカメラ７のスクロールボタン７−１１と確定ボタン７−１２を操作することにより、近傍案内（局地情報情報提供装置）が選択された時は、通信範囲の狭いBLUETOOTH（登録商標）通信装置と局地情報情報提供装置４−１と接続されビデオカメラ７が存在する近傍の情報となるＳ９メニューがビデオカメラ７のＬＣＤ７−７に表示される。Ｓ１０局地情報提供装置のメニューの選択でビデオカメラ７のスクロールボタン７−１１と確定ボタン７−１２を操作することにより、メニュー選択をすることにてＳ１１動物の解説、Ｓ１３食堂の場所の案内、Ｓ１５トイレの場所の案内を映像及び音声として入手しビデオカメラ７のＬＣＤ７−７への表示とスピーカー７−８への音声出力が行われ、Ｓ１１動物の解説においてはレックボタン７−９が押されることにより音声及び映像として送られてくるＳ１１の動物の説明を音声及び映像をビデオテープ７−３に記録させる。表示終了後ビデオカメラ７のスクロールボタン７−１１と確定ボタン７−１２を操作することにより、Ｓ１２、Ｓ１４、Ｓ１６の戻るを選択するとＳ１に戻り再度初めから進めることができる。
【００２７】
ビデオカメラ７が移動すると、所属する通信可能範囲が通信範囲の広いBLUETOOTH（登録商標）の通信可能範囲３−２又は通信範囲の狭いBLUETOOTH（登録商標）の通信可能範囲５−１から通信範囲の広いBLUETOOTH（登録商標）の通信可能範囲３−１、通信範囲の狭いBLUETOOTH（登録商標）の通信可能範囲５−２〜５−５のいずれかの通信範囲に変わり、情報通信装置も全体情報情報提供装置２−１、局地情報情報提供装置４−２〜４−４のいずれかに移る。通信範囲の広いBLUETOOTH（登録商標）通信装置と全体情報情報提供装置２−１〜２−２が変わっても同一情報を送信できるよう結合されているので入手できる情報に変化はないが、通信範囲の狭いBLUETOOTH（登録商標）通信装置と局地情報情報提供装置４−１〜４−４が変わると入手できる情報が変わりその地点に合った情報が入手できるようになる。
【００２８】
本実施例では、無線通信としてBLUETOOTH（登録商標）を用いて説明をしたが他の無線通信方式でも実施は可能である。
【００２９】
（第二の実施例）
図１は第３の発明の特徴をもっともよく表す図面で、同図において１は第３の発明のシステムを装備した動物園、２−１〜２−２は通信範囲の広いBLUETOOTH（登録商標）通信装置と全体情報情報提供装置、３−１〜３−２は通信範囲の広いBLUETOOTH（登録商標）の通信可能範囲、４−１〜４−４は通信範囲の狭いBLUETOOTH（登録商標）通信装置と局地情報情報提供装置、５−１〜５−４は通信範囲の狭いBLUETOOTH（登録商標）の通信可能範囲、６−１〜６−４は動物園で飼われている動物、７はBLUETOOTH（登録商標）通信機能を持ったビデオカメラ、８は食堂、９はトイレである。
【００３０】
図３は第３の発明のフロー図で、同図においてＳ１は通信可能BLUETOOTH（登録商標）通信装置と情報提供装置をビデオカメラ７に表示させる。Ｓ２はビデオカメラ７と通信する情報提供装置の選択、Ｓ３は全体情報情報提供装置のメニュー、Ｓ４は全体情報情報提供装置のメニューの選択、Ｓ５は開園時間の表示、Ｓ６はＳ１へ戻す、Ｓ７は食堂のメニュー表示、Ｓ８はＳ１へ戻す、Ｓ９は局地情報情報提供装置のメニュー、Ｓ１０は局地情報情報通信装置のメニューの選択、Ｓ１１は動物の解説、Ｓ１２はＳ１へ戻す、Ｓ１３は食堂の場所の案内、Ｓ１４はＳ１へ戻す、Ｓ１５はトイレの場所の案内、Ｓ１６はＳ１へ戻すである。
【００３１】
図４は第３の発明のBLUETOOTH（登録商標）通信機能を持ったビデオカメラ７の構成図で、７−１はカメラ部、７−２はマイク、７−３はビデオカメラコントロール回路、７−４は記録用ヘッド、７−５はビデオテープ、７−６はBLUETOOTH（登録商標）通信回路、７−７は画像表示用ＬＣＤ、７−８はスピーカー、７−９はカメラ部７−１及びマイク７−２以外の入力信号を記録させるレックボタン、７−１０はカメラ部７−１及びマイク７−２の映像及び音声を記録開始させるトリガーボタン、７−１１は表示スクロールボタン、７−１２は表示確定ボタン、７−１３はBLUETOOTH（登録商標）音声情報選択ボタン、７−１４はBLUETOOTH（登録商標）映像情報選択ボタンである。
【００３２】
第３の発明は、BLUETOOTH（登録商標）通信機能を持った動物園１内において、BLUETOOTH（登録商標）通信機能を持ったビデオカメラ７を操作することにより園内情報を入手すると共にビデオカメラ７に記録するシステムである。
【００３３】
ビデオカメラ７は、ビデオカメラコントロール回路７−３にカメラ部７−１及びマイク７−２とBLUETOOTH（登録商標）通信回路７−６からの音声及び画像信号を入力し、ビデオカメラコントロール回路７−３よりＬＣＤ７−７に対して画像出力、スピーカー７−８に対して音声出力を行うと共にビデオテープ７−５に記録を行う。ビデオカメラ７の動作は、レックボタン７−９、トリガーボタン７−１０、スクロールボタン７−１１、確定ボタン７−１２、BLUETOOTH（登録商標）音声情報選択ボタン７−１３、BLUETOOTH（登録商標）映像情報選択ボタン７−１４にてコントロールする。
【００３４】
通信範囲の広いBLUETOOTH（登録商標）通信装置と全体情報情報提供装置２−１〜２−２は同一情報を送信できるよう結合され、園内全域でBLUETOOTH（登録商標）通信ができるよう通信範囲の広いBLUETOOTH（登録商標）の通信可能範囲３−１〜３−２の通信可能範囲を持っている。
【００３５】
通信範囲の狭いBLUETOOTH（登録商標）通信装置と局地情報情報提供装置４−１〜４−４の通信範囲は、通信範囲の狭いBLUETOOTH（登録商標）の通信可能範囲５−１〜５−４と狭く各々独立した情報を持ち送信できるようになっている。
【００３６】
ビデオカメラ７は、通信範囲の広いBLUETOOTH（登録商標）の通信可能範囲３−２と通信範囲の狭いBLUETOOTH（登録商標）の通信可能範囲５−１の範囲に入っており、通信範囲の広いBLUETOOTH（登録商標）通信装置と全体情報情報提供装置２−２と通信範囲の狭いBLUETOOTH（登録商標）通信装置と局地情報情報提供装置４−１と通信可能であり、ビデオカメラ７のＬＣＤ７−７にはＳ１にて接続可能情報通信装置が表示される。Ｓ２情報提供装置の選択にてビデオカメラ７のスクロールボタン７−１１と確定ボタン７−１２を操作することにより通信する情報通信装置の選択を行いビデオカメラ７のＬＣＤ７−７には各情報通信装置の情報メニューが表示される。
【００３７】
Ｓ２情報提供装置の選択にてビデオカメラ７のスクロールボタン７−１１と確定ボタン７−１２を操作することにより、園内全域案内（全体情報情報提供装置）が選択された時は、通信範囲の広いBLUETOOTH（登録商標）通信装置と全体情報情報提供装置２−２と接続され園内全体の情報となるＳ３メニューがビデオカメラ７のＬＣＤ７−７に表示される。Ｓ４全体情報提供装置のメニューの選択にてビデオカメラ７のスクロールボタン７−１１と確定ボタン７−１２を操作することにより、メニュー選択をすることにてＳ５開園時間表示又はＳ７食堂メニュー表示をビデオカメラ７のＬＣＤ７−７への画像表示とスピーカー７−８への音声出力を行う。表示終了後ビデオカメラ７のスクロールボタン７−１１と確定ボタン７−１２を操作することにより、Ｓ６、Ｓ８の戻るを選択するとＳ１に戻り再度初めてから進めることができる。
【００３８】
Ｓ２情報提供装置の選択にてビデオカメラ７のスクロールボタン７−１１と確定ボタン７−１２を操作することにより、近傍案内（局地情報情報提供装置）が選択された時は、通信範囲の狭いBLUETOOTH（登録商標）通信装置と局地情報情報提供装置４−１と接続されビデオカメラ７が存在する近傍の情報となるＳ９メニューがビデオカメラ７のＬＣＤ７−７に表示される。Ｓ１０局地情報提供装置のメニューの選択でビデオカメラ７のスクロールボタン７−１１と確定ボタン７−１２を操作することにより、メニュー選択をすることにてＳ１１動物の解説、Ｓ１３食堂の場所の案内、Ｓ１５トイレの場所の案内を映像及び音声として入手しビデオカメラ７のＬＣＤ７−７への表示とスピーカー７−８への音声出力が行われる。Ｓ１１動物の解説において、BLUETOOTH（登録商標）音声情報選択ボタン７−１３がＯＮの時は、レックボタン７−９が押されることにより音声として送られてくるＳ１１の動物の説明をビデオテープ７−３に記録させ、BLUETOOTH（登録商標）映像情報選択ボタン７−１４がＯＮの時は、レックボタン７−９が押されることにより映像として送られてくるＳ１１の動物の説明をビデオテープ７−３に記録させる。また、BLUETOOTH（登録商標）音声情報選択ボタン７−１３とBLUETOOTH（登録商標）映像情報選択ボタン７−１４が両方ともＯＮの時は、レックボタン７−９が押されることにより送られてくる音声と映像、両方のＳ１１の動物の説明をビデオテープ７−３の記録させる。
【００３９】
表示終了後ビデオカメラ７のスクロールボタン７−１１と確定ボタン７−１２を操作することにより、Ｓ１２、Ｓ１４、Ｓ１６の戻るを選択するとＳ１に戻り再度初めから進めることができる。
【００４０】
ビデオカメラ７が移動すると、所属する通信可能範囲が通信範囲の広いBLUETOOTH（登録商標）の通信可能範囲３−２又は通信範囲の狭いBLUETOOTH（登録商標）の通信可能範囲５−１から通信範囲の広いBLUETOOTH（登録商標）の通信可能範囲３−１、通信範囲の狭いBLUETOOTH（登録商標）の通信可能範囲５−２〜５−５のいずれかの通信範囲に変わり、情報通信装置も全体情報情報提供装置２−１、局地情報情報提供装置４−２〜４−４のいずれかに移る。通信範囲の広いBLUETOOTH（登録商標）通信装置と全体情報情報提供装置２−１〜２−２が変わっても同一情報を送信できるよう結合されているので入手できる情報に変化はないが、通信範囲の狭いBLUETOOTH（登録商標）通信装置と局地情報情報提供装置４−１〜４−４が変わると入手できる情報が変わりその地点に合った情報が入手できるようになる。
【００４１】
本実施例では、無線通信としてBLUETOOTH（登録商標）を用いて説明をしたが他の無線通信方式でも実施は可能である。
【００４２】
（第三の実施例）
図１は第４の発明の特徴をもっともよく表す図面で、同図において１は第４の発明のシステムを装備した動物園、２−１〜２−２は通信範囲の広いBLUETOOTH（登録商標）通信装置と全体情報情報提供装置、３−１〜３−２は通信範囲の広いBLUETOOTH（登録商標）の通信可能範囲、４−１〜４−４は通信範囲の狭いBLUETOOTH（登録商標）通信装置と局地情報情報提供装置、５−１〜５−４は通信範囲の狭いBLUETOOTH（登録商標）の通信可能範囲、６−１〜６−４は動物園で飼われている動物、７はBLUETOOTH（登録商標）通信機能を持ったビデオカメラ、８は食堂、９はトレイである。
【００４３】
図３は第４の発明のフロー図で、同図においてＳ１は通信可能BLUETOOTH（登録商標）通信装置と情報提供装置をビデオカメラ７に表示させる、Ｓ２はビデオカメラ７と通信する情報提供装置の選択、Ｓ３は全体情報情報提供装置のメニュー、Ｓ４は全体情報情報提供装置のメニューの選択、Ｓ５は開園時間の表示、Ｓ６はＳ１へ戻す、Ｓ７は食堂のメニュー表示、Ｓ８はＳ１へ戻す、Ｓ９は局地情報情報提供装置のメニュー、Ｓ１０は局地情報情報通信装置のメニューの選択、Ｓ１１は動物の解説、Ｓ１２はＳ１へ戻す、Ｓ１３は食堂の場所の案内、Ｓ１４はＳ１へ戻す、Ｓ１５はトイレの場所の案内、Ｓ１６はＳ１へ戻すである。
【００４４】
図４は第４の発明のBLUETOOTH（登録商標）通信機能を持ったビデオカメラ７の構成図で、７−１はカメラ部、７−２はマイク、７−３はビデオカメラコントロール回路、７−４は記録用ヘッド、７−５はビデオテープ、７−６はBLUETOOTH（登録商標）通信回路、７−７は画像表示用ＬＣＤ、７−８はスピーカー、７−９はカメラ部７−１及びマイク７−２以外の入力信号を記録させるレックボタン、７−１０はカメラ部７−１及びマイク７−２の映像及び音声を記録開始させるトリガーボタン、７−１１は表示スクロールボタン、７−１２は表示確定ボタン、７−１３はBLUETOOTH（登録商標）音声情報選択ボタン、７−１４はBLUETOOTH（登録商標）映像情報選択ボタンである。
【００４５】
図５は第４の発明の画像合成時の映像をあらわすもので、７−６Ａはカメラ部７−１撮影画像、７−６ＢはBLUETOOTH（登録商標）映像情報画像である。
【００４６】
第４の発明は、BLUETOOTH（登録商標）通信機能をもった動物園１内において、BLUETOOTH（登録商標）通信機能を持ったビデオカメラ７を操作することにより園内情報を入手すると共にビデオカメラ７に記録するシステムである。
【００４７】
ビデオカメラ７は、ビデオカメラコントロール回路７−３にカメラ部７−１及びマイク７−２とBLUETOOTH（登録商標）通信回路７−６からの音声及び画像信号を入力し、ビデオカメラコントロール回路７−３よりＬＣＤ７−７に対して画像出力、スピーカー７−８に対して音声出力を行うと共にビデオテープ７−５に記録を行う。ビデオカメラ７の動作は、レックボタン７−９、トリガーボタン７−１０、スクロールボタン７−１１、確定ボタン７−１２、BLUETOOTH（登録商標）音声情報選択ボタン７−１３、BLUETOOTH（登録商標）映像情報選択ボタン７−１４にてコントロールする。
【００４８】
通信範囲の広いBLUETOOTH（登録商標）通信装置と全体情報情報提供装置２−１〜２−２は同一情報を送信できるよう結合され、園内全域でBLUETOOTH（登録商標）通信ができるよう通信範囲の広いBLUETOOTH（登録商標）の通信可能範囲３−１〜３−２の通信可能範囲を持っている。
【００４９】
通信範囲の狭いBLUETOOTH（登録商標）通信装置と局地情報情報提供装置４−１〜４−４の通信範囲は、通信範囲の狭いBLUETOOTH（登録商標）の通信可能範囲５−１〜５−４と狭く各々独立した情報を持ち送信できるようになっている。
【００５０】
ビデオカメラ７は、通信範囲の広いBLUETOOTH（登録商標）の通信可能範囲３−２と通信範囲の狭いBLUETOOTH（登録商標）の通信可能範囲５−１の範囲に入っており、通信範囲の広いBLUETOOTH（登録商標）通信装置と全体情報情報提供装置２−２と通信範囲の狭いBLUETOOTH（登録商標）通信装置と局地情報情報提供装置４−１と通信可能であり、ビデオカメラ７のＬＣＤ７−７にはＳ１にて接続可能情報通信装置が表示される。Ｓ２情報提供装置の選択にてビデオカメラ７のスクロールボタン７−１１と確定ボタン７−１２を操作することにより通信する情報通信装置の選択を行いビデオカメラ７のＬＣＤ７−７には各情報通信装置の情報メニューが表示される。
【００５１】
Ｓ２情報提供装置の選択にてビデオカメラ７のスクロールボタン７−１１と確定ボタン７−１２を操作することにより、園内全域案内（全体情報情報提供装置）が選択された時は、通信範囲の広いBLUETOOTH（登録商標）通信装置と全体情報情報提供装置２−２と接続され園内全体の情報となるＳ３メニューがビデオカメラ７のＬＣＤ７−７に表示される。Ｓ４全体情報提供装置のメニューの選択にてビデオカメラ７のスクロールボタン７−１１と確定ボタン７−１２を操作することにより、メニュー選択をすることにてＳ５開園時間表示又はＳ７食堂メニュー表示をビデオカメラ７のＬＣＤ７−７への画像表示とスピーカー７−８への音声出力を行う。表示終了後ビデオカメラ７のスクロールボタン７−１１と確定ボタン７−１２を操作することにより、Ｓ６、Ｓ８の戻るを選択するとＳ１に戻り再度初めから進めることができる。
【００５２】
Ｓ２情報提供装置の選択にてビデオカメラ７のスクロールボタン７−１１と確定ボタン７−１２を操作することにより、近傍案内（局地情報情報提供装置）が選択された時は、通信範囲の狭いBLUETOOTH（登録商標）通信装置と局地情報情報提供装置４−１と接続されビデオカメラ７が存在する近傍の情報となるＳ９メニューがビデオカメラ７のＬＣＤ７−７に表示される。Ｓ１０局地情報提供装置のメニューの選択でビデオカメラ７のスクロールボタン７−１１と確定ボタン７−１２を操作することにより、メニュー選択をすることにてＳ１１動物の解説、Ｓ１３食堂の場所の案内、Ｓ１５トイレの場所の案内を映像及び音声として入手しビデオカメラ７のＬＣＤ７−７への表示とスピーカー７−８への音声出力が行われる。Ｓ１１動物の解説において、BLUETOOTH（登録商標）音声情報選択ボタン７−１３がＯＮの時は、トリガーボタン７−１０が押されると音声はマイク７−２で取り込んだ音声と音声として送られてくるＳ１１の動物の説明を合成し映像はカメラ部７−１で取り込んだ画像をビデオテープ７−３に記録させ、BLUETOOTH（登録商標）映像情報選択ボタン７−１４がＯＮの時は、トリガーボタン７−１０が押されると映像はカメラ部７−１で取り込んだ映像と映像として送られてくるＳ１１の動物の説明を図５画像合成図のように合成させ音声はマイク７−２で取り込んだ音声をビデオテープ７−３に記録させる。また、BLUETOOTH（登録商標）音声情報選択ボタン７−１３とBLUETOOTH（登録商標）映像情報選択ボタン７−１４が両方ともＯＮの時は、トリガーボタン７−１０が押されると音声はマイク７−２で取り込んだ音声と音声として送られてくるＳ１１の動物の説明を合成し映像はカメラ部７−１で取り込んだ映像と映像として送られてくるＳ１１の動物の説明を図５画像合成図のように合成させビデオテープ７−３に記録させる。
【００５３】
表示終了後ビデオカメラ７のスクロールボタン７−１１と確定ボタン７−１２を操作することにより、Ｓ１２、Ｓ１４、Ｓ１６の戻るを選択するとＳ１に戻り再度初めから進めることができる。
【００５４】
ビデオカメラ７が移動すると、所属する通信可能範囲が通信範囲の広いBLUETOOTH（登録商標）の通信可能範囲３−２又は通信範囲の狭いBLUETOOTH（登録商標）の通信可能範囲５−１から通信範囲の広いBLUETOOTH（登録商標）の通信可能範囲３−１、通信範囲の狭いBLUETOOTH（登録商標）の通信可能範囲５−２〜５−５のいずれかの通信範囲に変わり、情報通信装置も全体情報情報提供装置２−１、局地情報情報提供装置４−２〜４−４のいずれかに移る。通信範囲の広いBLUETOOTH（登録商標）通信装置と全体情報情報提供装置２−１〜２−２が変わっても同一情報を送信できるよう結合されているので入手できる情報は変化はないが、通信範囲の狭いBLUETOOTH（登録商標）通信装置と局地情報情報提供装置４−１〜４−４が変わると入手できる情報が変わりその地点に合った情報が入手できるようになる。
【００５５】
本実施例では、無線通信としてBLUETOOTH（登録商標）を用いて説明をしたが他の無線通信方式でも実施は可能である。
【００５６】
（第四の実施例）
図１は第５の発明の特徴をもっともよく表す図面で、同図において１は第５の発明のシステムを装備した動物園、２−１〜２−２は通信範囲の広いBLUETOOTH（登録商標）通信装置と全体情報情報提供装置、３−１〜３−２は通信範囲の広いBLUETOOTH（登録商標）の通信可能範囲、４−１〜４−４は通信範囲の狭いBLUETOOTH（登録商標）通信装置と局地情報情報提供装置、５−１〜５−４は通信範囲の狭いBLUETOOTH（登録商標）の通信可能範囲、６−１〜６−４は動物園で飼われている動物、７はBLUETOOTH（登録商標）通信機能を持ったビデオカメラ、８は食堂、９はトイレである。
【００５７】
図３は第５の発明のフロー図で、同図においてＳ１は通信可能BLUETOOTH（登録商標）通信装置と情報提供装置をビデオカメラ７に表示させる、Ｓ２はビデオカメラ７と通信する情報提供装置の選択、Ｓ３は全体情報情報提供装置のメニュー、Ｓ４は全体情報情報提供装置のメニューの選択、Ｓ５は開園時間の表示、Ｓ６はＳ１へ戻す、Ｓ７は食堂のメニュー表示、Ｓ８はＳ１へ戻す、Ｓ９は局地情報情報提供装置のメニュー、Ｓ１０は局地情報情報通信装置のメニューの選択、Ｓ１１は動物の解説、Ｓ１２はＳ１へ戻す、Ｓ１３は食堂の場所の案内、Ｓ１４はＳ１へ戻す、Ｓ１５はトイレの場所の案内、Ｓ１６はＳ１へ戻す、である。
【００５８】
図４は第５の発明のBLUETOOTH（登録商標）通信機能を持ったビデオカメラ７の構成図で、７−１はカメラ部、７−２はマイク、７−３はビデオカメラコントロール回路、７−４は記録用ヘッド、７−５はビデオテープ、７−６はBLUETOOTH（登録商標）通信回路、７−７は画像表示用ＬＣＤ、７−８はスピーカー、７−９はカメラ部７−１及びマイク７−２以外の入力信号を記録させるレックボタン７−１０はカメラ部７−１及びマイク７−２の映像及び音声を記録開始させるトリガーボタン、７−１１は表示スクロールボタン、７−１２は表示確定ボタン、７−１３はBLUETOOTH（登録商標）音声情報選択ボタン、７−１４はBLUETOOTH（登録商標）映像情報選択ボタンである。
【００５９】
図５は第５の発明の画像合成時の映像を表すもので、７−６Ａはカメラ部７−１撮影画像、７−６ＢはBLUETOOTH（登録商標）映像情報画像である。
【００６０】
第５の発明は、BLUETOOTH（登録商標）通信機能を持った動物園１内において、BLUETOOTH（登録商標）通信機能を持ったビデオカメラ７を操作することにより園内情報を入手すると共ビデオカメラ７に記録するシステムである。
【００６１】
ビデオカメラ７は、ビデオカメラコントロール回路７−３にカメラ部７−１及びマイク７−２とBLUETOOTH（登録商標）通信回路７−６からの音声及び画像信号を入力し、ビデオカメラコントロール回路７−３よりＬＣＤ７−７に対して画像出力、スピーカー７−８に対して音声出力を行うと共にビデオテープ７−５に記録を行う。ビデオカメラ７の動作は、レックボタン７−９、トリガーボタン７−１０、スクロールボタン７−１１、確定ボタン７−１２、BLUETOOTH（登録商標）音声情報選択ボタン７−１３、BLUETOOTH（登録商標）映像情報選択ボタン７−１４にてコントロールする。
【００６２】
通信範囲の広いBLUETOOTH（登録商標）通信装置と全体情報情報提供装置２−１〜２−２は同一情報を送信できるよう結合され、園内全域でBLUETOOTH（登録商標）通信ができるよう通信範囲の広いBLUETOOTH（登録商標）の通信可能範囲３−１〜３−２の通信可能範囲を持っている。
【００６３】
通信範囲の狭いBLUETOOTH（登録商標）通信装置と局地情報情報提供装置４−１〜４−４の通信範囲は、通信範囲の狭いBLUETOOTH（登録商標）の通信可能範囲５−１〜５−４と狭く各々独立した情報を持ち送信できるようになっている。
【００６４】
ビデオカメラ７は、通信範囲の広いBLUETOOTH（登録商標）の通信可能範囲３−２と通信範囲の狭いBLUETOOTH（登録商標）の通信可能範囲５−１の範囲に入っており、通信範囲の広いBLUETOOTH（登録商標）通信装置と全体情報情報提供装置２−２と通信範囲の狭いBLUETOOTH（登録商標）通信装置と局地情報情報提供装置４−１と通信可能であり、ビデオカメラ７のＬＣＤ７−７にはＳ１にて接続可能情報通信装置が表示される。Ｓ２情報提供装置の選択にてビデオカメラ７のスクロールボタン７−１１と確定ボタン７−１２を操作することにより通信する情報通信装置の選択を行いビデオカメラ７のＬＣＤ７−７には各情報通信装置の情報メニューが表示される。
【００６５】
Ｓ２情報提供装置の選択にてビデオカメラ７のスクロールボタン７−１１と確定ボタン７−１２を操作することにより、園内全域案内（全体情報情報提供装置）が選択された時は、通信範囲の広いBLUETOOTH（登録商標）通信装置と全体情報情報提供装置２−２と接続され園内全体の情報となるＳ３メニューがビデオカメラ７のＬＣＤ７−７に表示される。Ｓ４全体情報提供装置のメニューの選択にてビデオカメラ７のスクロールボタン７−１と確定ボタン７−１２を操作することにより、メニュー選択をすることにてＳ５開園時間表示又はＳ７食堂メニュー表示をビデオカメラ７のＬＣＤ７−７への画像表示とスピーカー７−８への音声出力を行う。表示終了後ビデオカメラ７のスクロールボタン７−１１と確定ボタン７−１２を操作することにより、Ｓ６、Ｓ８の戻るを選択するとＳ１に戻り再度初めから進めることができる。
【００６６】
Ｓ２情報提供装置の選択にてビデオカメラ７のスクロールボタン７−１１と確定ボタン７−１２を操作することにより、近傍案内（局地情報情報提供装置）が選択された時は、通信範囲の狭いBLUETOOTH（登録商標）通信装置と局地情報情報提供装置４−１と接続されビデオカメラ７が存在する近傍の情報となるＳ９メニューがビデオカメラ７のＬＣＤ７−７に表示される。Ｓ１０局地情報提供装置のメニューの選択でビデオカメラ７のスクロールボタン７−１１と確定ボタン７−１２を操作することにより、メニュー選択をすることにてＳ１１動物の解説、Ｓ１３食堂の場所の案内、Ｓ１５トレイの場所の案内を映像及び音声として入手しビデオカメラ７のＬＣＤ７−７への表示とスピーカー７−８への音声出力が行われる。Ｓ１１動物の解説において、BLUETOOTH（登録商標）音声情報選択ボタン７−１３がＯＮの時は、トリガーボタン７−１０が押されると音声はマイク７−２で取り込んだ音声と音声として送られてくるＳ１１の動物の説明を合成させＳ１１の動物の説明が最初から記録されるようタイミングを調整し映像はカメラ部７−１で取り込んだ画像をビデオテープ７−３に記録させ、BLUETOOTH（登録商標）映像情報選択ボタン７−１４がＯＮの時は、トリガーボタン７−１０が押されると映像はカメラ部７−１で取り込んだ映像と映像として送られてくるＳ１１の動物の説明を図５画像合成図のように合成させＳ１１の動物の説明が最初から記録されるようタイミングを調整し音声はカメラ部７−１で取り込んだ音声をビデオテープ７−３に記録させる、また、BLUETOOTH（登録商標）音声情報選択ボタン７−１３とBLUETOOTH（登録商標）映像情報選択ボタン７−１４が両方ともＯＮの時は、トリガーボタン７−１０が押されると音声はマイク７−２で取り込んだ音声と音声として送られてくるＳ１１の動物の説明を合成し映像はカメラ部７−１で取り込んだ映像と映像として送られてくるＳ１１の動物の説明を図５画像合成図のように合成させＳ１１の動物の説明が最初から記録されるようタイミングを調整してビデオテープ７−３に記録させる。
【００６７】
表示終了後ビデオカメラ７のスクロールボタン７−１１と確定ボタン７−１２を操作することにより、Ｓ１２、Ｓ１４、Ｓ１６の戻るを選択するとＳ１に戻り再度初めから進めることができる。
【００６８】
ビデオカメラ７が移動すると、所属する通信可能範囲が通信範囲の広いBLUETOOTH（登録商標）の通信可能範囲３−２又は通信範囲の狭いBLUETOOTH（登録商標）の通信可能範囲５−１から通信範囲の広いBLUETOOTH（登録商標）の通信可能範囲３−１、通信範囲の狭いBLUETOOTH（登録商標）の通信可能範囲５−２〜５−５のいずれかの通信範囲に変わり、情報通信装置も全体情報情報提供装置２−１、局地情報情報提供装置４−２〜４−４のいずれかに移る。通信範囲の広いBLUETOOTH（登録商標）通信装置と全体情報情報提供装置２−１〜２−２が変わっても同一情報を送信できるよう結合されているので入手できる情報に変化はないが、通信範囲の狭いBLUETOOTH（登録商標）通信装置と局地情報情報提供装置４−１〜４−４が変わると入手できる情報が変わりその地点に合った情報が入手できるようになる。
【００６９】
本実施例では、無線通信としてBLUETOOTH（登録商標）を用いて説明をしたが他の無線通信方式でも実施は可能である。
【図面の簡単な説明】
【００７０】
【図１】実施例の構成図。
【図２】ビデオカメラの構成図１。
【図３】実施例のフローチャート図。
【図４】ビデオカメラの構成図２。
【図５】画像合成図。
【図６】従来技術図。
【符号の説明】
【００７１】
１  本発明のシステムを装備した動物園
２−１  通信範囲の広いBLUETOOTH（登録商標）通信装置と全体情報情報提供装置
２−２  通信範囲の広いBLUETOOTH（登録商標）通信装置と全体情報情報提供装置
３−１  通信範囲の広いBLUETOOTH（登録商標）の通信可能範囲
３−２  通信範囲の広いBLUETOOTH（登録商標）の通信可能範囲
４−１  通信範囲の狭いBLUETOOTH（登録商標）通信装置と局地情報情報提供装置
４−２  通信範囲の狭いBLUETOOTH（登録商標）通信装置と局地情報情報提供装置
４−３  通信範囲の狭いBLUETOOTH（登録商標）通信装置と局地情報情報提供装置
４−４  通信範囲の狭いBLUETOOTH（登録商標）通信装置と局地情報情報提供装置
５−１  通信範囲の狭いBLUETOOTH（登録商標）の通信可能範囲
５−２  通信範囲の狭いBLUETOOTH（登録商標）の通信可能範囲
５−３  通信範囲の狭いBLUETOOTH（登録商標）の通信可能範囲
５−４  通信範囲の狭いBLUETOOTH（登録商標）の通信可能範囲
６−１  動物園で飼われている動物
６−２  動物園で飼われている動物
６−３  動物園で飼われている動物
６−４  動物園で飼われている動物
７  BLUETOOTH（登録商標）通信機能を持ったビデオカメラ
７−１  カメラ部
７−２  マイク
７−３  ビデオカメラコントロール回路
７−４  記録用ヘッド
７−５  ビデオテープ
７−６  BLUETOOTH（登録商標）通信回路
７−６Ａ  カメラ部７−１撮影画像
７−６Ｂ  BLUETOOTH（登録商標）映像情報画像
７−７  画像表示用ＬＣＤ
７−８  スピーカー
７−９  カメラ部７−１以外の入力信号を記録させるレックボタン
７−１０  カメラ部７−１の映像を記録開始させるトリガーボタン
７−１１  表示スクロールボタン
７−１２  表示確定ボタン
７−１３  BLUETOOTH（登録商標）音声情報選択ボタン
７−１４  BLUETOOTH（登録商標）映像情報選択ボタン
８  食堂
９  トイレ
１０  展覧会場
１１−１  無線放送装置
１１−２  無線放送装置
１１−３  無線放送装置
１２−１  無線放通信可能範囲
１２−２  無線放通信可能範囲
１２−３  無線放通信可能範囲
１３−１  展示物
１３−２  展示物
１３−３  展示物
１４  無線放送受信機能付ヘッドホン
Ｓ１  通信可能BLUETOOTH（登録商標）通信装置と情報提供装置をビデオカメラ７に表示
Ｓ２  Ｓ２ビデオカメラ７と通信する情報提供装置の選択
Ｓ３  全体情報情報提供装置のメニュー
Ｓ４  全体情報情報提供装置のメニューの選択
Ｓ５  開園時間の表示
Ｓ６  Ｓ１へ戻す
Ｓ７  食堂のメニュー表示
Ｓ８  Ｓ１へ戻す
Ｓ９  局地情報情報提供装置のメニュー
Ｓ１０  局地情報情報通信装置のメニューの選択
Ｓ１１  動物の解説
Ｓ１２  Ｓ１へ戻す
Ｓ１３  食堂の場所の案内
Ｓ１４  Ｓ１へ戻す
Ｓ１５  トイレの場所の案内
Ｓ１６  Ｓ１へ戻す
【図１】
2006246018.tif 000003
【図２】
2006246018.tif 000004
【図３】
2006246018.tif 000005
【図４】
2006246018.tif 000006
【図５】
2006246018.tif 000007
【図６】
2006246018.tif 000008